(57)【特許請求の範囲】
【請求項１】
Ｖ．８手順を実行し、相手送信機又は自装置がＶ．３４機能を有していないとき、Ｖ．８機能無しを示す情報を含むデジタル識別信号を送信し、Ｔ．３０手順による通信を実行することを特徴とするファクシミリ通信方法。
【請求項２】
Ｖ．８手順とＴ．３０手順を有するファクシミリ装置において、
前記Ｖ．８手順により受信された信号に基づいて相手装置がＶ．３４機能を有しているか否かを検出する手段と、
前記検出手段による検出に従ってＶ．８機能無しを示す情報を含むデジタル識別信号を送出する手段を有することを特徴とするファクシミリ装置。
【請求項３】
請求項２において、着信時にＶ．８手順の変調トーン信号の送出後に、Ｖ．８機能有りを示す情報を含むデジタル識別信号を送出する手順を有することを特徴とするファクシミリ装置。
【請求項４】
請求項３において、Ｖ．８手順を示す第１の信号を受信する手段と、
前記第１信号の受信に応じて前記変調トーン信号を送出する手段を有することを特徴とするファクシミリ装置。
【請求項５】
請求項４において、前記第１信号と類似の第２の信号を受信する手段と、前記第２の信号の受信に応じて前記Ｖ．８及び前記Ｔ．３０手順と異なる特殊通信手順を実行する手段と、前記特殊通信手順を選択する選択手段を有し、
前記特殊通信手順の選択に応じて前記Ｖ．８機能を無しを示す情報を含むデジタル識別信号を送信することを特徴とするファクシミリ装置。
【発明の詳細な説明】
【技術分野】
【０００１】
本発明は、モデムの種類を識別するためのＶ．８手順を有するファクシミリ装置及びファクシミリ通信方法に関するものである。
【背景技術】
【０００２】
近年、一般の公衆回線を介してパーソナルコンピュータによる通信やファクシミリ通信等の種々の通信が行なわれている。この様な通信に、種々のモデムが用いられている。特に、コンピュータ通信では、各社独自の通信が行なわれており、送信側と受信側で同じ種類のモデムを用いないと通信が行なえない。そこで、送信側と受信側のお互いのモデムの種類を識別し、共通に有しているモデムを指定する手順（Ｖ．８手順）が提案されている。
【０００３】
このＶ．８手順は、全２重通信により実行され、Ｖ．８手順によりＶ．３４モデムを選択してＶ．３４モデムにより全２重通信により通信手順を実行し、半２重通信により画像通信を行なうことが考えられている。
【特許文献１】特開平０７−２９８０２４
【特許文献２】特開平０７−２９８０２７
【発明の開示】
【発明が解決しようとする課題】
【０００４】
上述のＶ．８手順の機能をファクシミリ装置に設けた場合、従来のＴ．３０手順のみを有するファクシミリ装置との交信性及びＶ．３４機能は有していないものの、Ｖ．８手順を有するファクシミリ装置との交信性も実現することが必要となってくる。
【課題を解決するための手段】
【０００５】
本発明では、Ｖ．８手順の実行後に相手装置又は自装置がＶ．３４機能を有していないとＶ．８機能無しを示す情報を含むデジタル識別信号を送信するようにし、速やかにかつ確実にＴ．３０手順へ移行できるようにしたものである。
【発明の効果】
【０００６】
以上の様に本発明によれば、Ｖ．８手順からＴ．３０手順への以降を速やかにかつ適切に行なうことができる。
【発明を実施するための最良の形態】
【０００７】
以下、図面を参照して本発明の実施の形態を詳細に説明する。
【０００８】
図１は本発明の実施の形態のファクシミリ装置の構成を示したブロック図である。
【０００９】
図中、２はＮＣＵ（網制御装置）であり、公衆回線網の電話回線２ａを電話機４又はハイブリッド回路６に選択的に接続するためのＣＭＬリレー、電話回線２ａの回線ループを形成するためのループ形成回路及び電話回線２ａからの呼び出し信号（ＣＩ信号）を検出するＣＩ検出回路等から構成されている。
【００１０】
ハイブリッド回路６は、送信系の信号と受信系の信号を分離するための回路である。
【００１１】
８は、変復調器（モデム）であり、ハイブリッド回路６からの受信系の信号を復調してデジタルデータとして制御回路２０に出力したり制御回路２０からのデジタルデータを変調し加算回路１２を介してハイブリッド回路６に送信系の信号として出力する。このモデム８は、手順信号の変調・復調用として、Ｖシリーズ勧告のＶ．８、Ｖ．２１、Ｖ．３４、又画信号の変調復調用として、Ｖ．２７ｔｅｒ、Ｖ．２９、Ｖ．１７、Ｖ．３４の機能を有する。これらの変調・復調方式及び伝送スピードは、制御回路２０からの制御信号により切り換えられる。
【００１２】
１０は公衆回線網のエコーサプレッサ又はエコーキャンセラ機能をディスイネーブルし、Ｖ．８の全２重通信の手順信号の送受信を行なうためのＡＮＳａｍ信号（２１００Ｈｚの信号を変調した信号）を加算回路１２、ハイブリッド回路６、ＮＣＵ２を介して回線２ａに送出するＡＮＳａｍ信号を送出回路である。このＡＮＳａｍ信号送出回路１０は、制御回路２０からの制御信号に従って、ＡＮＳａｍ信号の送出を行なう。
【００１３】
１４は、原稿を読み取るための読取部であり、１６は、画信号を画像として記録する記録部である。
【００１４】
１８は、画像メモリであり、読取られた画像データ、受信した画像データを記憶するためのものである。
【００１５】
２０は、制御回路であり、マイクロコンピュータ、ＲＯＭ、ＲＡＭ等から構成されている。制御回路２０は、読取部１４の制御、記録部１６の制御、操作部２２からの各種のキー信号の入力制御及び操作部２２に設けられている表示器の表示制御、画像データの符号化処理・復号化処理（ＭＨ、ＭＲ、ＭＭＲ等の符号化、復号化処理）、モデム８の変復調方式の切り換え制御及び伝送スピードの切り換え制御、ＡＮＳａｍ信号送出回路１０による信号送出制御、後述する手順信号の送受信と画像データの通信の通信シーケンスの制御等を行なう。
【００１６】
次に、本実施の形態におけるファクシミリ装置の動作の概要について説明する。
【００１７】
本例では、まず全２重通信により手順信号の送受信を行なう。図２は、本例の通信シーケンスを示した図である。
【００１８】
着呼側は、着信に応答して、ＡＮＳａｍ信号送出回路１０からＡＮＳａｍ信号（２１００Ｈｚを１５Ｈｚで変調した信号）を送出する。このＡＮＳａｍ信号により公衆網のエコーサプレッサ機能又はエコーキャンセラ機能がディスイネーブル状態となり全２重通信が可能となる。発呼側は、着呼側からのＡＮＳａｍ信号を受信すると、Ｖ．８変調によるＣＭ信号を送出し、このＣＭ信号により装置の有しているモデムの種類を着呼側に通知する。着呼側は、ＣＭ信号を受信すると、ＡＮＳａｍ信号の送出を停止し、Ｖ．８変調によるＪＭ信号を送出する。着呼側は、このＪＭ信号によって、ＣＭ信号で通知されたモデムの種類の中で、着呼側が選択したモデムを発呼側に通知する。発呼側は、ＪＭ信号を受信するとＣＭ信号の送出を停止し、Ｖ．８変調のＣＪ信号を送出する。発呼側は、このＣＪ信号によりＪＭ信号に基づいて決定したモデムを着呼側に通知する。着呼側は、ＣＪ信号を受信すると、ＪＭ信号の送出を停止し、発呼側からのラインプルービング信号の受信処理へ進む。このＶ．８手順で発呼側と着呼側の両方がＶ．３４モデムを有していない（又はいずれか一方がＶ．３４による通信を行なうように設定されていない）場合、Ｔ．３０の手順に移行する。
【００１９】
一方、発呼側は、ＣＪ信号の送出を停止してから５０ｍｓｅｃ経過後に回線２ａの状況をチェックするためのラインプルービング信号（Ｖ．３４で変調された信号）を送出する。この間の信号断は、５０ｍｓｅｃであるので、公衆網のエコーサプレッサ又はエコーキャンセラ機能はディスイネーブル状態のままである。一方、着呼側は、ラインプルービング信号を受信すると、このラインプルービング信号に対する応答信号（Ｖ．３４変調の信号）を送出し、この応答信号によって、以後の信号の送出レベル、振幅レベルの補正、伝送ボーレートを発呼側に通知し、発呼側からのロングトレーニング信号の受信処理へ進む。
【００２０】
発呼側は、前記応答信号を受信すると、ラインプルービング信号の送出を停止し、送出停止から５０ｍｓｅｃ経過後にＶ．３４変調のロングトレーニング信号を送出する。着呼側は、このロングトレーニング信号によりモデム８の等化器の調整、タイミング検出等の処理を実行する。
【００２１】
発呼側は、ロングトレーニング信号の送出後、５０ｍｓｅｃ経過後にＶ．３４変調のパラメータ交換信号を送出する。着呼側は、パラメータ変調信号を受信すると、Ｖ．３４変調のパラメータ変調応答信号を送出し、この応答信号により以降のリンク補正、ピットレート発呼側に通知する。そして、着呼側は、パラメータ交換の応答信号に続いてＴ．３０勧告のＣＳＩ、ＤＩＳ信号をＶ．３４変調により送出し、更に発呼側からＴ．３０勧告のＴＳ１、ＤＣＳを受信するまでフラグ（ダミー信号）を送出する。
【００２２】
発呼側は、ＣＳＩ、ＤＩＳ信号を受信するとパラメータ交換信号の送出を停止し、Ｖ．３４変調によりＴＳＩ、ＤＣＳを送出した後、着呼側からＣＦＲ信号を受信するまでフラグを送出する。一方、着呼側は、発呼側からＴＳＩ、ＤＣＳ信号を受信するとフラグ送出を停止し、Ｖ．３４変調によりＣＦＲ信号を送出する。
【００２３】
発呼側は、ＣＦＲ信号を受信すると、フラグ送出を停止し、５０ｍｓｅｃ経過後に前の手順で設定された伝送モードにより、画信号を送出し、着呼側は、設定された伝送モードにより画信号の受信を行なう。ここでの画信号の送受信は、全２重通信による誤り再送通信であってもよいし、半２重通信による誤り再送通信（ＥＣＭ通信）であってもよい。
【００２４】
発呼側は、１ページの画信号の送信後に、そのままの伝送モードで次ページの画信号を送出する場合には、画信号の送信終了から５０ｍｓｅｃ経過後にＰＰＳ−ＭＰＳ信号（Ｔ．３０勧告のＥＣＭの場合）を送出した後、着呼側からＭＣＦ信号を受信するまでフラグを送出する。尚、伝送モードを変更して次ページの送信を行なう場合には、発呼側は、ＰＰＳ−ＭＰＳ信号に変わってＰＰＳ−ＥＯＭ信号を送出する。
【００２５】
着呼側は、画信号に続いてＰＰＳ−ＭＰＳ信号を受信すると、画信号が良好に受信されているとＭＣＦ信号を送出した後に、次のページの画信号受信処理へ進む。
【００２６】
発呼側は、ＭＣＦ信号を受信すると、フラグ送出を停止し、５０ｍｓｅｃ経過後に、次のページの画信号を送出する。そして、そのページが最終ページであると、そのページの画信号の送出終了後、５０ｍｓｅｃ経過後にＰＰＳ−ＥＯＰ信号を送出し、着呼側からＭＣＦ信号を受信するまでフラグを送出する。以上の通信処理では、５０ｍｓｅｃ以上の信号断は発生しないので、エコーサプレッサ又はエコーキャンセラ機能は、ディスイネーブル状態のままである。
【００２７】
発呼側は、着呼側からＭＣＦ信号を受信すると、フラグ送出を停止して、ＤＣＮを送出する。
【００２８】
以上のＶ．８及びＶ．３４手順において、発呼側及び着呼側は、相手先に対して手順信号の送出を開始してから所定時間経過してもその送出した手順信号に対する応答信号が受信されないと、Ｔ．３０勧告に基づく半２重通信による手順へ移行する。この場合、着呼側によるＮＳＦ、ＣＳＩ、ＤＩＳの送出から半２重通信手順が実行される。
【００２９】
以上の処理によって、全２重通信による手順が回線品質の低下により途中で実行できなくなっても、半２重通信による手順に切り換え、半２重通信手順によって残りの画信号の通信を行なうので、通信途中でエラー終了することなく、適切な画像通信を行なうことができる。
【００３０】
図２〜図６は、本実施例の発呼側の制御（図３〜図５）及び着呼側の制御（図６、図７）を示したフローチャートである。
【００３１】
図３において、Ｓ３２では、信号線２０ａに信号レベル「０」の信号を出力し、ＣＭＬをオフする。
【００３２】
Ｓ３４では、信号線２０ｄに、信号レベル「０」の信号を出力し、ＡＮＳａｍ信号を送出しない設定とする。
【００３３】
Ｓ３６、Ｓ３８では発呼、あるいは着呼が選択されたか否かが判断され、発呼が選択されるとＳ４２に進み、着呼が選択されるとＳ１０２に進む。発呼、着呼ともに選択されていないと、Ｓ４０に進み、その他の処理を行なう。
【００３４】
Ｓ４２では、信号線２０ａに信号レベル「１」の信号を出力しＣＭＬをオンする。
【００３５】
Ｓ４４では、タイマーＴ１に３５秒をセットする。
【００３６】
Ｓ４６では、ＡＮＳａｍ信号、ＣＥＤ信号、ＮＳＦ／ＣＳＩ／ＤＩＳ信号の受信を行ない、Ｓ４８、Ｓ５０、Ｓ５２、Ｓ５４にて夫々受信の有無を判断し、ＮＳＦ／ＣＳＩ／ＤＩＳ信号（Ｖ．２１信号）を受信すると、Ｓ６０に進み、ＣＥＤ信号（２１００Ｈｚの信号）を受信するとＳ５５に進み、ＡＮＳａｍ信号（２１００Ｈｚを１５Ｈｚで変調した信号）を受信すると、Ｓ６７−１に進み、Ｔ１がタイムオーバーしていないとＳ４６に進み、Ｔ１がタイムオーバーすると、Ｓ３２に進む。
【００３７】
Ｓ５５では、タイマーＴ１に３５秒をセットし、Ｓ５６、Ｓ５７にてタイマーＴ１がタイムオーバーと、ＮＳＦ／ＣＳＩ／ＤＩＳ信号の受信をチェックする。タイマーＴ１がタイムオーバーするまでにＮＳＦ／ＣＳＩ／ＤＩＳ信号が受信されると、Ｓ５６からＳ５８に進み、ＮＳＳ／ＴＳＩ／ＤＣＳ信号を送信し、Ｓ５９にてＤＣＳで設定されたモデムの伝送スピード（Ｖ．２７ｔｅｒ、Ｖ．２９、又はＶ．１７）でトレーニング（Ｔｒ）・ＴＣＦ信号を送信し、ＣＦＲの受信後画信号の送信を行なう。
【００３８】
Ｓ６０では、ＤＩＳ信号により相手受信機がＶ．８機能を有しているか否かを判断し、相手受信機がＶ．８機能を有しているとＳ６１に進み、Ｖ．８機能を有していないとＳ５８に進んで以降通常のＴ．３０手順による画信号の送信を行なう。
【００３９】
又、Ｓ６０にて受信したＤＩＳ信号がＶ．８機能有りになっている場合、Ｖ．８手順へ移行するために、Ｓ６１にてタイマーＴ１に３５秒をセットし、Ｓ６２にてＶ．８手順の信号であるＣＩ信号（このＣＩ信号により着呼側にＶ．８手順のＡＮＳａｍ信号を送出させる）を送信する。そして、Ｓ６３、Ｓ６４、Ｓ６５にて、ＡＮＳａｍ信号の受信、ＮＳＦ／ＣＳＩ／ＤＩＳ信号の受信、タイマーＴ１のタイムオーバーをチェックし、タイマーＴ１がタイムオーバーするまでにＡＮＳａｍ信号が受信されるとＳ６３からＳ６７−１に進み、ＮＳＦ／ＣＳＩ／ＤＩＳ信号が受信されるとＳ６４からＳ６６に進んで受信したＤＩＳ信号がＶ．８機能有りになっているか否かを判断する。Ｓ６６にてＤＩＳ信号がＶ．８機能有りになっている場合、相手受信機がＣＩ信号を受信できなかったものとして再びＳ６２にてＣＩ信号を送信するが、このときタイマーＴ１は再セットされないので、何度ＣＩ信号を送信してもＡＮＳａｍ信号が受信されず、Ｖ．８機能有りのＤＩＳ信号が受信され続けても、タイマーＴ１のタイムオーバーでその通信をエラー終了させ待機状態に復帰できる。又、Ｓ６６にて受信したＤＩＳ信号がＶ．８機能無しになっている場合、Ｓ５８に進んで以降Ｔ．３０手順により画信号の送信を行なう。
【００４０】
又、ＡＮＳａｍ信号が受信されＳ６７−１に進むと、Ｓ６７−１にて装置がＶ．３４の通信を行なうように設定されているか否かを判断する。かかるモード設定は、操作部２２によるキー入力に基づいて行なわれ、登録用メモリ２４に設定されたモード情報が格納される。制御回路２０は、登録用メモリ２４のモード情報により装置がＶ．３４の通信を行なうように設定されているか否かを判断する。装置がＶ．３４の通信を行なうように設定されていると、Ｓ６７−２にてＶ．３４機能有りのＣＭ信号の送信を開始し、他方Ｖ．３４の通信を行なうように設定されていなければ、Ｓ６７−３にてＶ．３４機能無しのＣＭ信号の送信を開始する。同時にＳ６８にてＶ．８手順のＪＭ信号の受信をチェックし、ＪＭ信号を受信するとＳ７６に進み、ＪＭ信号を受信していないとＳ７０に進む。
【００４１】
Ｓ７０では、ＣＭ信号の送信が終了したか否かを判断し、ＣＭ信号の送信が終了していなければ、Ｓ７１にて、Ｖ．２１によるＮＳＦ／ＣＳＩ／ＤＩＳ信号の受信をチェックする。Ｓ７１にてＮＳＦ／ＣＳＩ／ＤＩＳ信号が受信されると、Ｓ５８に進んで、Ｔ．３０手順による画信号の送信を行なう。又、Ｓ７０にてＣＭ信号の送信が終了すると、Ｓ７２に進み、ＪＭ信号の受信処理を所定期間（５０ｍｓｅｃ未満）続行する。そして、Ｓ７４にてＪＭ信号の受信の有無を判定する。ここで、ＪＭ信号を受信できれば、Ｓ７６に進み、Ｖ．８信号であるＣＪ信号を送信する。Ｓ７４にてＪＭ信号が受信されないと、全２重通信は不可と判定し、Ｓ５５に進み、Ｖ２１に基づいた手順（Ｔ．３０手順）を行なう。
【００４２】
Ｓ７６に進むケースは、ＣＭ信号送信に対してＪＭ信号が受信できた場合であるので、Ｓ７６にてＣＪ信号を送信し、タイマーＴ１に３５秒をセットし、Ｓ７７にて装置がＶ．３４通信を行なうように設定されているか、Ｓ７８にて受信したＪＭ信号がＶ．３４通信を指定しているかを判断し、装置がＶ．３４が行なうように設定され、かつＪＭ信号によりＶ．３４が指定されているとＳ８０に進んで以降Ｖ．３４に基づいた手順、画伝送を実行する。又、装置がＶ．３４を行なうように設定されていない、又はＪＭ信号によりＶ．３４が指定されていないと、Ｓ５５に進んで以降Ｔ．３０手順により画信号の送信を行なう。
【００４３】
Ｓ８０では、ラインプルービング信号の送受信を行ない、Ｓ８２にて、ラインプルービングの全２重通信が可能であるか否かを判断し、全２重通信が可能であると、Ｓ８４に進み、Ｖ．３４に基づいた手順、画伝送を実行する。Ｓ８２にてラインプルービングの全２重通信が不可能であると、Ｓ５５に進み、Ｖ．２１に基づいた手順（Ｔ．３０手順）を行なう。
【００４４】
Ｓ８４では、ロングトレーニング信号の送信を実行する。
【００４５】
Ｓ８６では、パラメータ交換及び、Ｖ．３４信号による前手順を行ない、Ｓ８８にてパラメータ交換、Ｖ．３４信号にある前手順の全２重通信が、可能であるか否かを判断し、全２重通信が可能であると、Ｓ９０へ進み、Ｖ．３４での画伝送（画伝送は半２重通信である）をし、パラメータ変換、Ｖ．３４信号による前手順の全２重通信が不可能であると、Ｓ５５に進み、Ｖ．２１に基づいた手順（Ｔ．３０手順）を行なう。
【００４６】
Ｓ９２では、Ｖ．３４信号による中間手順を表わしている。ここでＳ９４にてＶ．３４信号による中間手順の全２重通信が可能であると、Ｓ９６に進み、Ｖ．３４信号による中間手順の全２重通信が不可能である（手順信号の送出開始から所定時間内に応答信号が受信されない）と、Ｓ５５に進み、Ｖ．２１に基づいた手順（Ｔ．３０手順）を行なう。
【００４７】
Ｓ９６では、次ページがあるか否かが判断され、次ページがあるとＳ９８に進み、次ページがないとＳ１００にて、Ｖ．３４信号による後手順を行なう。
【００４８】
Ｓ９８では、モードチェンジがあるか否かを判断し、モードチェンジがあるとステップＳ８６に進み、モードチェンジがないとＳ９０に進む。
【００４９】
次に着呼側の制御を説明する。
【００５０】
図６のＳ１０２では、信号線２０ａに、信号レベル「１」の信号を出力し、ＣＭＬをオンする。
【００５１】
Ｓ１０４では、信号線２０ｄの制御により、ＡＮＳａｍ信号の送出を開始する。
【００５２】
Ｓ１０６では、Ｖ．８信号のＣＭ信号の受信を行ない、ＡＮＳａｍ信号送信終了（Ｓ１１４）以前に、ＣＭ信号を受信すると、Ｓ１０７に進み、Ｖ．８信号のＪＭ信号を送信し、ＣＭ信号を受信できずにＡＮＳａｍ信号の送出が終了すると、Ｓ１１５に進む。
【００５３】
ＡＮＳａｍ信号の送出中にＣＭ信号が受信されＳ１０７に進むと、受信したＣＭ信号がＶ．３４機能有りになっているか否か（相手送信機がＶ．３４機能を有しているか否か）を判断する。相手送信機がＶ．３４機能を有していると、Ｓ１０９にてＶ．３４を指定するＪＭ信号の送信を開始し、他方、相手送信機がＶ．３４機能を有していないと、Ｓ１０８にてＶ．２１（又は、Ｖ．２７ｔｅｒ、又はＶ．２９、又はＶ．１７）を指定するＪＭ信号の送信を開始する。そして、Ｓ１１０、Ｓ１１２にてＣＪ信号の受信と、ＪＭ信号の送信終了をチェックし、ＪＭ信号の送信が終了するまで（ＪＭ信号の送信中）にＣＪ信号が受信されると、Ｓ１１０からＳ１１１に進み、他方、ＣＪ信号が受信できずにＪＭ信号の送信が終了すると、全２重通信は不可と判断してＳ１１３−１に進み、以降Ｔ．３０手順による画信号の受信処理へ移行する。
【００５４】
ＣＪ信号が受信されＳ１１１に進むと、Ｓ１１１にてＪＭ信号でＶ．３４を指定したか否かを判断し、Ｖ．３４を指定した場合には、Ｓ１２０に進み、Ｖ．３４手順、Ｖ．３４による画信号の受信処理へ移行する。
【００５５】
Ｓ１１３−１では、タイマーＴ１に３５秒をセットし、Ｓ１１３−２にて、タイマーＴ２に３秒をセットし、Ｓ１１３−３にてＮＳＦ／ＣＳＩ／ＤＩＳ信号を送信する。このとき、ＤＩＳ信号としては、Ｖ．８機能無しに設定したＤＩＳ信号を送信され、これにより相手送信器で再びＶ．８手順が繰り返されることを防止し、速やかにかつ確実にＴ．３０手順へ以降できる。Ｓ１１３−４、Ｓ１１３−５、Ｓ１１３−６では、ＮＳＳ／ＴＳＩ／ＤＣＳ信号の受信、タイマーＴ２のタイムオーバー、タイマーＴ１のタイムオーバーをチェックし、３秒間隔でＮＳＦ／ＣＳＩ／ＤＩＳ信号を送信し、タイマーＴ１がタイムオーバーするまでにＮＳＳ／ＴＳＩ／ＤＣＳ信号が受信されると、Ｓ１１３−４からＳ１１８に進んで受信したＤＣＳ信号により指定されたモデムの伝送スピード（Ｖ．２７ｔｅｒ、Ｖ．２９、又はＶ．１７）でトレーニング（Ｔｒ）、ＴＣＦ信号を受信し、ＴＣＦ信号の受信状態がよければＣＦＲ信号を送信して、設定したモデムの伝送スピードで画信号の受信を行なう。
【００５６】
又、ＡＮＳａｍ信号の送出中（約３秒間）にＣＭ信号が受信されないとＳ１１４からＳ１１５に進み、Ｓ１１５にてタイマーＴ１に３５秒をセットし、Ｓ１１６にてタイマーＴ２に３秒をセットし、Ｓ１１７−１にてＶ．２１によりＮＳＦ／ＣＳＩ／ＤＩＳ信号を送信する。このときＤＩＳ信号としては、Ｖ．８機能有りに設定したＤＩＳ信号を送信する。これは、着信に応答してＡＮＳａｍ信号を送信したものの、発呼元（相手送信機）がマニュアル送信指示の入力タイミングが遅くなってしまった等の理由により、ＡＮＳａｍ信号を受信できなかった場合に、ＣＩ信号の送信から再度Ｖ．８手順を行なえるようにするためである。
【００５７】
Ｓ１１７−２、Ｓ１１７−３、Ｓ１１９−１、Ｓ１１９−２では、Ｖ．８手順のＣＩ信号の受信、Ｖ．２１のＮＳＳ／ＴＳＩ／ＤＣＳ信号の受信、タイマーＴ２のタイムオーバー、タイマーＴ１のタイムオーバーをチェックし、ＣＩ信号が受信されるとＳ１１７−２からＳ１０４に進んでＡＮＳａｍ信号の送信を行ない、他方、ＮＳＳ／ＴＳＩ／ＤＣＳ信号が受信されるとＳ１１７−３からＳ１１８に進んで、Ｔ．３０手順による画信号の受信を行なう。又、タイマーＴ２（３秒）がタイムオーバーするとＳ１１９−１からＳ１１６に進んで再度ＮＳＦ／ＣＳＩ／ＤＩＳ信号を送信し、３秒間隔でＮＳＦ／ＣＳＩ／ＤＩＳ信号を送信するようにし、タイマーＴ１がタイムオーバーするまでにＣＩ信号も、ＮＳＳ／ＴＳＩ／ＤＣＳ信号も受信されないとその通信をエラー終了し待機状態へ戻る。尚、ここでＳ１１７−１で送信するＮＳＦ／ＣＳＩ／ＤＩＳ信号（Ｖ．８機能有り）の送出回数をカウントするようにし、所定回数（例えば５回）送出してもＣＩ信号とＮＳＳ／ＴＳＩ／ＤＣＳ信号のいずれも受信されない場合に、Ｓ１１３−２に進んでＶ．８機能無しのＤＩＳ信号を送出するようにしてもよい。これによって、相手送信機からのＣＩ信号が正常受信できずにエラー終了する代わりに、Ｔ．３０手順での画信号の通信へ移行できる。
【００５８】
又、Ｖ．３４手順、Ｖ．３４の通信を行なうべくＳ１１１からＳ１２０に進むと、Ｓ１２０にて、ラインプルービング信号の受信と、それに対する応答信号の送信を行なう。ここで、Ｓ１２２にて、ラインプルービングの全２重通信が可であるとＳ１２４に進み、ロングトレーニング信号の受信をし、ラインプルービングの全２重通信が不可であるとＳ１１３−１に進む。
【００５９】
Ｓ１２４では、ロングトレーニングの受信を行なう。
【００６０】
Ｓ１２６では、パラメータ変換、Ｖ．３４信号による前手順を行なう。ここでＳ１２８にて、パラメータ変換、Ｖ．３４信号による前手順の全２重通信が可であると、Ｓ１３０に進み、Ｖ．３４での画信号の受信へ移行する。Ｓ１２８にてパラメータ変換、Ｖ．３４信号による前手順の全２重通信が不可であると、Ｓ１１３−１に進む。
【００６１】
Ｓ１３２では、Ｖ．３４信号による中間手順を実行する。ここで、Ｓ１３４にてＶ．３４信号による仲間手順での全２重通信が可能であると、Ｓ１３６に進み、Ｖ．３４信号による中間手順での全２重通信が不可能であると、Ｓ１１３−１に進む。
【００６２】
Ｓ１３６では、次ページがあるか否かが判断され、次ページがあると、Ｓ１４０に進み、次ページがないと、Ｓ１３８にてＶ．３４信号による後手順を行なう。
【００６３】
Ｓ１４０では、モードチェンジがあるか否かが判断され、モードチェンジがあるとＳ１２６に進み、モードチェンジがないとＳ１３０に進む。
【００６４】
以上の処理によって、図２に示される通信シーケンスが発呼側及び着呼側で実行される。図８は、発呼側でのマニュアル送信指示の入力タイミングが遅れたことにより、ＣＩ信号の通信からＶ．８手順が実行される例を示した通信シーケンスである。
【００６５】
以上の実施の形態によれば、発呼側（送信側）がＶ．８機能有りのＤＩＳ信号の受信に応答して、ＣＩ信号を送信し、着呼側（受信側）がＣＩ信号の受信に失敗している場合に、送信側が再度ＣＩ信号の送信を行なう。又、Ｖ．８手順を実行した時、送信側と受信側のいずれか一方がＶ．３４機能を有していない場合には、Ｔ．３０手順へ移行するようにし、このとき受信側がＶ．８機能無しのＤＩＳ信号を送信する（Ｖ．８機能有りと宣言しない）ことにより速やかにかつ確実にＴ．３０手順による画信号通信を行なうことができる。
【００６６】
次に、本発明の他の実施の形態について説明する。
【００６７】
ファクシミリ装置によっては、通信時間を短くするために通常のＴ．３０手順と異なる特殊な手順（短縮手順）を実行するものがある。図９は、特殊手順（短縮手順）の例を示した図である。
【００６８】
図９において、受信機側が送信するプリアンブル、ＮＳＦ、ＣＳＩ、ＤＩＳ信号はＶ．２１の信号でかつプリアンブルの送信時間は１秒であり、通常のＴ．３０手順と同一である。ここでＮＳＦ信号により短縮手順の機能の有無を送信機に通知する。送信機は、短縮手順を実行する場合Ｖ．２１のプリアンブル、ＮＳＳ信号を送信する。ここで、プリアンブルの時間は３００ｍｓとする。さらに、ここでのＮＳＳ信号は、概略機能の通知をする。そして、Ｖ．１７のＴｒ（トレーニング）、ＮＳＳ、画信号の送信、そしてＥＯＰ信号の送信へ移行する。この高速のＮＳＳ信号では、詳細機能の通知を行なう。その後、受信機からＶ．２１のプリアンブル、ＭＣＦ信号、送信機からＶ．２１のプリアンブル、ＥＯＰ信号の送信を行なうが、これらのプリアンブルの時間は３００ｍｓである。このような短縮手順の機能を有する装置が特に図８に示す通信シーケンスを行なう場合、受信側では、ＣＩ信号を受信するタイミングで短いプリアンブルのＮＳＳ信号が受信されることがある。
【００６９】
従って受信機側では、ＣＩ信号と短いプリアンブルのＮＳＳ信号を識別しなければならないが、ＣＩ信号と短いプリアンブルのＮＳＳ信号の信号パターンがほぼ同じなために受信側では識別するのが困難である。その為に、Ｖ．８手順を優先させた場合には、図９に示すような短縮手順を実行できない。
【００７０】
そこで、短縮手順を優先して行なうように設定されている場合には、図８のシーケンスで最初のＡＮＳａｍ信号の送信に続いて、ＮＳＦ／ＣＳＩ／ＤＩＳ信号を送信する際、Ｖ．８機能無しのＤＩＳ信号を送信し、これによって送信側からＣＩ信号が送信されないようにして、短いプリアンブルのＮＳＳ信号の受信を行なうようにする。
【００７１】
図１０は、他の実施の形態における制御動作を示したフローチャートであり、図６のＳ１１４とＳ１１５の間に図１０に示すＳ１４２〜Ｓ１５８の処理が追加される。
【００７２】
Ｓ１４２では、操作部２２のキー入力により短縮手順を優先するモードが選択されているか否かを判断し、短縮手順を優先するモードが選択されていなければ、図６のＳ１１５に進み、短縮手順を優先するモードが選択されているとＳ１４４にてタイマーＴ１に３５秒をセットし、Ｓ１４６にてタイマーＴ２に３秒をセットする。そして、Ｓ１４８にてＮＳＦ（短縮手順機能有りのＮＳＦ）／ＣＳＩ／ＤＩＳ（Ｖ．８機能無しのＤＩＳ）信号を送信する。そして、Ｓ１５０、Ｓ１５２、Ｓ１５４、Ｓ１５６にて、ＮＳＳ／ＴＳＩ／ＤＣＳ信号の受信、短縮手順のＮＳＳ信号の受信、タイマーＴ２のタイムオーバー、タイマーＴ１のタイムオーバーをチェックし、３秒間隔でＮＳＦ／ＣＳＩ／ＤＩＳ信号を送出しながら、タイマーＴ１がタイムオーバーするまでに通常のＮＳＳ／ＴＳＩ／ＤＣＳ信号が受信されるとＳ１５０から図６のＳ１１８に進み、Ｔ．３０手順による画信号の受信へ移行し、短縮手順のＮＳＳ信号が受信されるとＳ１５２からＳ１５８に進んで図９に示す短縮手順による画信号の受信処理を行なう。そして、タイマーＴ１がタイムオーバーすると、図３のＳ３２に進み待機状態に戻る。
【００７３】
以上の様に他の実施の形態によれば、短縮手順を実行することが可能となる。
【００７４】
又、本発明は、上述した実施の形態に限らず種々の変形が可能である。
【図面の簡単な説明】
【００７５】
【図１】本実施の形態のファクシミリ装置の構成を示したブロック図である。
【図２】本実施の形態による通信シーケンスを示した図である。
【図３】本実施の形態の制御動作を示したフローチャート図である。
【図４】本実施の形態の制御動作を示したフローチャート図である。
【図５】本実施の形態の制御動作を示したフローチャート図である。
【図６】本実施の形態の制御動作を示したフローチャート図である。
【図７】本実施の形態の制御動作を示したフローチャート図である。
【図８】マニュアル送信指示が遅れた場合の通信シーケンスを示した図である。
【図９】短縮手順の通信シーケンスを示した図である。
【図１０】他の実施の形態の制御動作を示したフローチャートである。
【符号の説明】
【００７６】
２  ＮＣＵ
４  電話機
６  ハイブリッド回路
８  モデム
１０  ディスイネーブル信号送出回路
１２  加算回路
１４  読取部
１６  記録部
１８  画像メモリ
２０  制御回路
２２  操作部
２４  登録メモリ
【図１】
0003631239.tif 000002
【図２】
0003631239.tif 000003
【図３】
0003631239.tif 000004
【図４】
0003631239.tif 000005
【図５】
0003631239.tif 000006
【図６】
0003631239.tif 000007
【図７】
0003631239.tif 000008
【図８】
0003631239.tif 000009
【図９】
0003631239.tif 000010
【図１０】
0003631239.tif 000011